(57)【要約】      （修正有）【課題】嵩張らずに容易に持ち運ぶことができ、設置スペースや収納スペースを取らず、使用場所の制限を受け難く、手軽に使用することができ、量産性、携帯性、設置自在性、収納性に優れるだけでなく、初心者でもイメージするヘアスタイルと、分けとった毛束を引き出す角度やカット位置との関係が理解し易く、自分自身で姿勢やスタンス等の基本技術の習得度を極めて容易に判断することができ、短時間で基本技術を習得することが可能な理美容技術練習プレートを提供する。【解決手段】平板状のプレート部２と、プレート部の表面、背面、外周面の少なくともいずれか一箇所以上に形設され理美容技術練習具１０の帯状部材を保持する保持部材１１が着脱自在に装着される複数の保持部材装着部３と、を備えている。【選択図】図３
0003183262.tif 000002
【実用新案登録請求の範囲】
【請求項１】
カットやワインディングの基本技術を習得するために使用される帯状部材を備えた理美容技術練習具が着脱自在に装着される理美容技術練習プレートであって、
平板状のプレート部と、前記プレート部の表面、背面、外周面の少なくともいずれか一箇所以上に形設され前記理美容技術練習具の前記帯状部材を保持する保持部材が着脱自在に装着される複数の保持部材装着部と、を備えていることを特徴とする理美容技術練習プレート。
【請求項２】
前記保持部材装着部が凸球面状又は凹球面状に形成された嵌合部を有し、前記理美容技術練習具が、前記保持部材の端部に配設された装着部で前記保持部材装着部の前記嵌合部に回動自在に保持されることを特徴とする請求項１に記載の理美容技術練習プレート。
【請求項３】
複数の前記保持部材装着部の少なくとも一部が同一円周上に配置されていることを特徴とする請求項１又は２に記載の理美容技術練習プレート。
【請求項４】
前記プレート部の表面又は背面に前記プレート部の中心と各々の前記保持部材装着部の中心との間を結ぶ角度目盛りが標示されていることを特徴とする請求項１乃至３の内いずれか１項に記載の理美容技術練習プレート。
【請求項５】
前記プレート部が立設されるプレート固定部を備えていることを特徴とする請求項１乃至４の内いずれか１項に記載の理美容技術練習プレート。
【考案の詳細な説明】
【技術分野】
【０００１】
本考案は、カット、パーマ、ブローなどの様々な理美容技術の基本技術を習得するために使用される理美容技術練習具を着脱自在に装着することができ、特に初心者が人頭模型などの代わりに手軽に使用することができる携帯性、取扱い性に優れる理美容技術練習プレートに関するものである。
【背景技術】
【０００２】
従来、美容師や理容師、特に美容師や理容師の練習生や初心者が整髪技術の基本となる髪のカット技術や、パーマネント用ロッドに髪を巻き付けるワインディング技術を習得する場合は、合成樹脂材等で造形した頭部模型に天然又は合成樹脂製の毛髪を植毛した練習用ウィッグが使用されている。練習用ウィッグを使って髪のカットを練習する場合は、カットする部分の毛髪を薄く分けとり、その毛束を指と指の間に挟んで引き出し、引き出した毛束の先端を鋏でカットすることにより、目的とするヘアスタイルを作るための姿勢、スタンス、目線、毛束を分けとる角度、分けとった毛束を指の間に挟んで引き出す角度、鋏でカットする長さや角度などを習得する。これらは、所望されるヘアスタイルに応じて組み合わせられ、使い分けられるので、ヘアカットの基本技術としてまず習得しなければならない技術である。
しかし、練習生や初心者は、イメージするヘアスタイルと、分けとった毛束を引き出す角度やカット位置との関係がなかなか理解できず、また練習用ウィッグに対する姿勢やスタンスが不安定なため、分けとった毛束を指の間に挟んで引き出す際に、姿勢やスタンスを変えるのではなく、自分では気付かないうちにカットし易いように毛束を捻ったり、引き出す角度が一定にならずにばらばらになったりすることが多く、カットされた毛髪の毛先によって形成されるラインや面がギザギザになったり波を打ったような形になったりすることが多かった。練習用ウィッグでは、カットされた毛髪の毛先によって形成されるラインや面を確認しなければ、自分のカット技術が良いか否かを判断することができないため、カットの練習中に、練習生や初心者が自分自身で姿勢やスタンス等の基本技術の習得度を判断することができなかった。そのため、自分に欠けている技術が何かを客観的に判断することができず、基本技術の習得に時間を要していた。
一方、初心者にこれらの技術を教える指導者は、目的とするヘアスタイルに対するカットの動作を見て、姿勢やスタンス、分けとった毛束を指の間に挟んで引き出す角度等の基本技術について指導するが、これらの技術は自分が経験によって習得したものであるため、練習生や初心者に客観的に教えるのは極めて困難であった。また、指導を受けた練習生や初心者も、カットの動作の適否を客観的に判断する基準がないため、なかなか理解できず、基本技術の習得に時間を要していた。
これらの問題点を解決するために、本願考案者が開発し、出願した（特許文献１）には、頭部模型に着脱可能に固着される固着部と、固着部に一端が接続された１乃至複数枚の帯状部と、を備えている理美容技術練習具が開示されている。
【先行技術文献】
【特許文献】
【０００３】
【特許文献１】再表２００８／０２３４７２号公報
【考案の開示】
【考案が解決しようとする課題】
【０００４】
（１）（特許文献１）の理美容技術練習具は、指の間に挟んで引き出すときの毛束の捻れや水平方向の角度ずれの有無がわかり易いため、カットやワインディングのための正しい姿勢等を自分で判断することができ、さらに捻れや角度ずれがなくなるような正しい姿勢やスタンス、手や鋏の位置等を習得することができ、自分の癖や自分に欠けている技術は何かを客観的に判断することができるため、正しいカットやワインディングの基本技術を短時間で習得することができ、さらに切り終えてしまっても新しいものと交換すれば頭部模型は繰り返し使用することができ、ランニングコストを抑えることができる機能性、取扱い性に優れるものであった。
（２）しかし、この理美容技術練習具は、理美容技術練習具の固着部若しくは固定部が固着若しくは固定される被固着部を備えている頭部模型からなる専用の理美容技術練習用模型と一緒に使用するため、持ち運びが不便で、使用時には理美容技術練習用模型を設置するスペースが必要となり、使用場所が限られるだけでなく、使用しない時にも収納スペースが必要であり、設置自在性、収納性、携帯性の向上が望まれていた。
（３）また、教本などで二次元での表示や表現に慣れている者にとっては、頭部模型を用いた三次元での練習は複雑でイメージし難く、二次元に近い簡素化された練習器具の実現が強く望まれていた。
【０００５】
本考案は上記要望に応えるもので、小型、軽量で平面体に近いため、嵩張らずに容易に持ち運ぶことができ、設置スペースや収納スペースを取らず、使用場所の制限を受け難く、手軽に使用することができ、量産性、携帯性、設置自在性、収納性に優れるだけでなく、二次元に近い簡素化された構造であるため、初心者でもイメージするヘアスタイルと、分けとった毛束を引き出す角度やカット位置との関係が理解し易く、自分自身で姿勢やスタンス等の基本技術の習得度を極めて容易に判断することができ、短時間で基本技術を習得することが可能な取扱い性、機能性に優れた理美容技術練習プレートの提供を目的とする。
【課題を解決するための手段及びそれによって得られる作用、効果】
【０００６】
上記課題を解決するために本考案の理美容技術練習プレートは、以下の構成を有している。
本考案の請求項１に記載の理美容技術練習プレートは、カットやワインディングの基本技術を習得するために使用される帯状部材を備えた理美容技術練習具が着脱自在に装着される理美容技術練習プレートであって、平板状のプレート部と、前記プレート部の表面、背面、外周面の少なくともいずれか一箇所以上に形設され前記理美容技術練習具の前記帯状部材を保持する保持部材が着脱自在に装着される複数の保持部材装着部と、を備えた構成を有している。
この構成により、以下のような作用、効果を有する。
（１）平板状のプレート部の表面、背面、外周面の少なくともいずれか一箇所以上に理美容技術練習具の帯状部材を保持する保持部材が着脱自在に装着される複数の保持部材装着部が形設されているので、プレート部の所望の位置に理美容技術練習具を取り付けて、カットやワインディング等の基本技術を練習することができる。
（２）保持部材装着部が形設されるプレート部が平板状なので、小型、軽量で嵩張らずに容易に持ち運ぶことができ、設置スペースや収納スペースを取らず、使用場所の制限を受け難く、手軽に使用することができ、量産性、携帯性、設置自在性、収納性に優れる。
（３）プレート部の表面、背面、外周面の少なくともいずれか一箇所以上に複数の保持部材装着部を形設することができるので、平面上でありながら、様々な位置に理美容技術練習具を装着することができ、汎用性、機能性、実用性に優れる。
（４）平板状のプレート部の表面、背面、外周面の少なくともいずれか一箇所以上に複数の保持部材装着部が形設されることにより、二次元に近い簡素化された構造となるため、初心者でもイメージするヘアスタイルと、分けとった毛束を引き出す角度やカット位置との関係が理解し易く、自分自身で姿勢やスタンス等の基本技術の習得度を極めて容易に判断することができ、短時間で基本技術を習得することが可能で、取扱い性、機能性に優れる。
（５）理美容技術練習具の帯状部材を保持する保持部材が保持部材装着部に着脱自在に装着されることにより、理美容技術練習具を所望の角度に保持することができるので、指の間に帯状部材を挟んで引き出すときに捻れや角度ずれがあると、帯状部材に弛みが生じ、捻れや角度ずれの有無を自分で判断することができ、さらに帯状部材の捻れや角度ずれが生じないような正しい姿勢やスタンス、手や鋏の位置等を確実に習得することができ、使用性、実用性、省力性に優れる。
【０００７】
ここで、プレート部は平板状であればよく、その形状や大きさは、適宜、選択することができるが、形状としては円形状、楕円形状、多角形状などに形成されたものが好適に用いられる。また、プレート部は複数の理美容技術練習具を装着した状態で形状を維持できる程度の剛性を有することが好ましく、その材質としては、ポリプロピレン、ポリエチレン、ポリスチレン等の合成樹脂、アルミニウムなどの金属、木などを用いることができる。
保持部材装着部は、使用する理美容技術練習具の帯状部材を保持する保持部材を着脱自在に装着できるものであればよく、その形状は保持部材の形状に応じて、適宜、選択することができる。特に、凹部と凸部を嵌合させるものは、着脱作業性、固定安定性に優れ、好ましい。また、保持部材装着部の数や配置は適宜、選択することができる。保持部材装着部の材質は、適宜、選択することができるが、合成樹脂や金属などが好適に用いられる。
尚、理美容技術練習具の帯状部材としては、紙、軟質の合成樹脂、ウレタンフォームやポリエチレンフォーム等のスポンジ、合成ゴム、金属箔、人工毛髪等で幅広の薄い帯状に形成されたものが用いられる。分けとった毛束に見立てるためである。
【０００８】
請求項２に記載の考案は、請求項１に記載の理美容技術練習プレートであって、前記保持部材装着部が凸球面状又は凹球面状に形成された嵌合部を有し、前記理美容技術練習具が、前記保持部材の端部に配設された装着部で前記保持部材装着部の前記嵌合部に回動自在に保持された構成を有している。
この構成により、請求項１の作用、効果に加え、以下のような作用、効果を有する。
（１）保持部材装着部が凸球面状又は凹球面状に形成された嵌合部を有し、理美容技術練習具の保持部材の装着部が保持部材装着部の嵌合部に回動自在に保持されることにより、所望のヘアスタイルに応じて、理美容技術練習具を様々な角度に取付けることができるので、イメージするヘアスタイルと、分けとった毛束を引き出す角度やカット位置との関係を容易に理解することができ、汎用性、機能性に優れる。
（２）保持部材装着部の嵌合部に保持部材の装着部が嵌着された状態で理美容技術練習具を所定の角度に保持することができるので、指の間に帯状部材を挟んで引き出すときに捻れや角度ずれがあると、帯状部材に弛みが生じ、捻れや角度ずれの有無を自分で判断することができるが、保持部材装着部の嵌合部が凸球面状又は凹球面状に形成されていることにより、理美容技術練習具の保持部材を指で摘んで回動させれば、保持部材装着部の嵌合部を中心にして理美容技術練習具の取付角度を自在に変化させて、様々なヘアスタイルに対応することができ、理美容技術練習具の取付角度を変えるために理美容技術練習具を取外して装着し直す必要がなく、取付角度の微調整も容易で、使用性、実用性、角度調整の自在性に優れる。
【０００９】
ここで、保持部材装着部の嵌合部を凸球面状又は凹球面状に形成する場合、それに対応して保持部材に凹球面状又は凸球面状の装着部が形成された理美容技術練習具を使用することにより、保持部材装着部に対して理美容技術練習具の保持部材を回動自在に保持することができる。
尚、理美容技術練習具の保持部材は保持部材装着部に回動自在に保持されるが、指の間に帯状部材を挟んで引き出す程度では保持部材が回動しないように嵌合部と装着部が嵌着されることにより、帯状部材の捻れや角度ずれの有無を判断することができる。そして、必要に応じて保持部材を指で摘んで回動させれば、保持部材装着部の嵌合部を中心にして自在に理美容技術練習具の取付角度を変化させることができる。
【００１０】
請求項３に記載の考案は、請求項１又は２に記載の理美容技術練習プレートであって、複数の前記保持部材装着部の少なくとも一部が同一円周上に配置された構成を有している。
この構成により、請求項１又は２の作用、効果に加え、以下のような作用、効果を有する。
（１）複数の保持部材装着部の少なくとも一部が同一円周上に配置されることにより、人間の頭部の形状に沿うように複数の理美容技術練習具を放射状に装着して、人間の毛髪を簡易的に再現することができ、カット、パーマ、ブローなどの様々な理美容技術の基本技術を効果的に習得することができ、使用性に優れる。
【００１１】
請求項４に記載の考案は、請求項１乃至３の内いずれか１項に記載の理美容技術練習プレートであって、前記プレート部の表面又は背面に前記プレート部の中心と各々の前記保持部材装着部の中心との間を結ぶ角度目盛りが標示された構成を有している。
この構成により、請求項１乃至３の内いずれか１項の作用、効果に加え、以下のような作用、効果を有する。
（１）プレート部の表面又は背面にプレート部の中心と各々の保持部材装着部の中心との間を結ぶ角度目盛りが標示されることにより、保持部材装着部に装着される理美容技術練習具の取付角度や複数の理美容技術練習具の位置関係を理解し易く、取扱い性に優れる。
【００１２】
ここで、プレート部の中心と各々の保持部材装着部の中心との間を結ぶ角度目盛りが標示されるが、角度目盛りと角度目盛りの間には必要に応じて、補助角度目盛りを標示してもよい。角度目盛りや補助角度目盛りはプレート部に直接、印刷したり、刻設したりして標示することができる。また、角度目盛りや補助角度目盛りを印刷した紙やフィルムをプレート部に貼着して標示してもよい。尚、角度目盛りや補助角度目盛りの間隔は、適宜、選択することができる。また、角度目盛りや補助角度目盛りの近傍に、その角度を数字で示すことにより、理美容技術練習具の取付角度などを容易に確認することができ、使用性に優れる。さらに、保持部材装着部の外周に放射状の取付角度目盛りを標示した場合、保持部材装着部を中心とする理美容技術練習具の回動角度を確認することができ、帯状部材の引き出し角度を簡単に調整することや、帯状部材の捻れや角度ずれの有無を簡単に判断することができる。
【００１３】
請求項５に記載の考案は、請求項１乃至４の内いずれか１項に記載の理美容技術練習プレートであって、前記プレート部が立設されるプレート固定部を備えた構成を有している。
この構成により、請求項１乃至４の内いずれか１項の作用、効果に加え、以下のような作用、効果を有する。
（１）プレート部が立設されるプレート固定部を有することにより、プレート固定部をテーブルの上やスタンドの先端などに固定して、簡単に使用することができ、設置スペースを取らず、省スペース性、取扱い性に優れる。
【００１４】
ここで、プレート固定部はプレート部をテーブルやスタンドなどの他の部材に固定できるものであればよい。例えば、吸盤等による減圧や磁力等による吸引力で吸着するもの、粘着テープ等で貼着するもの、螺子で螺着するもの、凹部や凸部で嵌着するものなどを用いることができる。尚、プレート固定部としては、プレート部の一端部に少なくとも２以上の吊り輪や孔部を設け、紐等を用いて板等に固定してもよい。
【図面の簡単な説明】
【００１５】
【図１】実施の形態１の理美容技術練習プレートの正面模式図
【図２】実施の形態１の理美容技術練習プレートの底面模式図
【図３】実施の形態１の理美容技術練習プレートの使用状態を示す要部正面模式図
【図４】実施の形態１の理美容技術練習プレートの変形例を示す要部正面模式図
【考案を実施するための形態】
【００１６】
（実施の形態１）
本考案の実施の形態１における理美容技術練習プレートについて、以下図面を参照しながら説明する。なお、本考案は以下に説明する実施の形態に限定されるものではない。
図１は実施の形態１の理美容技術練習プレートの正面模式図であり、図２は実施の形態１の理美容技術練習プレートの底面模式図である。
図１中、１は実施の形態１における理美容技術練習プレート、２はポリプロピレン、ポリエチレン、ポリスチレン等の合成樹脂で円板状に形成された理美容技術練習プレート１のプレート部、２ａはプレート部２の表面、２ｂはプレート部２の背面、２ｃはプレート部２の外周面、３はプレート部２の表面２ａ，背面２ｂ，外周面２ｃのそれぞれに形設された複数の保持部材装着部、３ａは円板状に形成されプレート部２の表面２ａ，背面２ｂ，外周面２ｃに固定された保持部材装着部３の基部、３ｂは基部３ａに立設された保持部材装着部３の円柱状の軸部、３ｃは軸部３ｂの先端に凸球面状に形成された保持部材装着部３の嵌合部、４はプレート部２の表面２ａ及び背面２ｂにプレート部２の中心と各々の保持部材装着部３の中心との間を結ぶように標示された理美容技術練習プレート１の角度目盛り、４ａは角度目盛り４と角度目盛り４の間に所定の角度で標示された理美容技術練習プレート１の補助角度目盛り、５はプレート部２が立設された理美容技術練習プレート１のプレート固定部、５ａはプレート固定部５の底部に形設された固定凹部である。
【００１７】
本実施の形態では、プレート部２を円板状に形成したが、プレート部２は平板状であればよく、その形状や大きさは、適宜、選択することができる。例えば、楕円形状や多角形状などに形成してもよい。
本実施の形態では、プレート部２を合成樹脂で形成したが、プレート部２はある程度の剛性を有していればよく、アルミニウムなどの金属や木などで形成してもよい。
保持部材装着部３の数や配置は適宜、選択することができるが、本実施の形態のように、複数の保持部材装着部３を同一円周上に配置することにより、人間の頭部の形状に沿うように複数の理美容技術練習具を放射状に装着して、人間の毛髪を簡易的に再現することができ、カット、パーマ、ブローなどの様々な理美容技術の基本技術を効果的に習得することができる。尚、保持部材装着部３の材質は、適宜、選択することができるが、合成樹脂や金属などが好適に用いられる。
【００１８】
角度目盛り４や補助角度目盛り４ａはプレート部２に直接、印刷したり、刻設したりして標示してもよいし、角度目盛り４や補助角度目盛り４ａを印刷した紙やフィルムをプレート部２に貼着して標示してもよい。尚、補助角度目盛り４ａの数や配置は、適宜、選択することができる。
プレート固定部５は底部に形設された固定凹部５ａに、棒状に形成されたスタンドの先端部を嵌合させることにより、理美容技術練習プレート１を固定することができる。
尚、プレート固定部５は本実施の形態に限定されるものではなく、吸盤等による減圧や磁力等による吸引力で吸着するもの、粘着テープ等で貼着するもの、螺子で螺着するものなどを用いることができる。
【００１９】
以上のように構成された実施の形態１の理美容技術練習プレートの使用方法について説明する。
図３は実施の形態１の理美容技術練習プレートの使用状態を示す要部正面模式図である。
図３中、１０はカットやワインディングの基本技術を習得するために理美容技術練習プレート１に装着して使用される理美容技術練習具、１１は後述する帯状部材１３を保持し理美容技術練習プレート１の保持部材装着部３に着脱自在に装着される理美容技術練習具１０の保持部材、１２は保持部材装着部３の嵌合部３ｃに回動自在に保持される保持部材１１の凹球面状の装着部、１３は紙、軟質の合成樹脂、スポンジ、金属箔などで短冊状に形成され端部が保持部材１１に保持された理美容技術練習具１０の帯状部材、１５はプレート固定部５の固定凹部５ａに棒状の先端部が嵌合され理美容技術練習プレート１を支持するスタンドである。
【００２０】
カット、パーマ、ブローなどの理美容技術の練習を行う練習生等は、練習したい髪型に応じて、理美容技術練習プレート１の任意の保持部材装着部３を選択し、その嵌合部３ｃに理美容技術練習具１０の保持部材１１の装着部１２を嵌合させる。そして、必要に応じて、装着部１２を指で摘んで理美容技術練習プレート１の前後方向や左右方向に回動させることにより、理美容技術練習具１０を嵌合部３ｃを中心として任意の角度に調整して固定する。
取り分けた毛束に見たてた帯状部材１３を指と指の間に挟んで、所定の角度に引き出す動作を練習する場合、帯状部材１３が捻れたり弛んだりして引き出す角度がずれないように姿勢やスタンスを整える。これにより、正しいカットのための姿勢やスタンス、手や鋏の位置等を習得することができる。
また、指の間からはみ出た帯状部材１３の先端を鋏で切断することにより、鋏の使い方を習得することができる。
さらに、装着部１２を指で摘んで保持部材装着部３の軸部３ｂの中心軸に対してその場で捻るようにして回動させて、同様に練習することによって、回動させた帯状部材１３の角度に応じて、自身の体の位置や姿勢を変化させることを習得できる。
なお、帯状部材１３を使って、パーマネント用ロッドに巻き付ける練習をすることで、ワインディングの練習を行うこともできる。
【００２１】
次に、本考案の実施の形態１における理美容技術練習プレートの変形例について説明する。尚、実施の形態１と同様のものには、同一の符号を付して説明を省略する。
図４は実施の形態１の理美容技術練習プレートの変形例を示す要部正面模式図である。
実施の形態１の変形例の理美容技術練習プレート１Ａが実施の形態１と異なるのは、保持部材装着部３Ａがプレート部２の表面２ａから突出した筒状に形成され、その先端内部に凹球面状の嵌合部３ｄが形成されている点である。
また、このとき使用する理美容技術練習具１０Ａが実施の形態１で説明した理美容技術練習具１０と異なるのは、帯状部材１３を保持する保持部材１１Ａの装着部１２ａが凸球面状に形成されている点である。
このように、変形例の理美容技術練習プレート１Ａにおける保持部材装着部３Ａの嵌合部３ｄと理美容技術練習具１０Ａにおける保持部材１１Ａの装着部１２ａとの関係は、実施の形態１の理美容技術練習プレート１における保持部材装着部３の嵌合部３ｃと理美容技術練習具１０における保持部材１１の装着部１２との関係と凹凸が入れ替わっただけであり、同様の使い方が可能である。
【００２２】
以上のように構成された実施の形態１の理美容技術練習プレートは、以下の作用を有する。
（１）平板状のプレート部の表面、背面、外周面の少なくともいずれか一箇所以上に理美容技術練習具の帯状部材を保持する保持部材が着脱自在に装着される複数の保持部材装着部が形設されているので、プレート部の所望の位置に理美容技術練習具を取り付けて、カットやワインディング等の基本技術を練習することができる。
（２）保持部材装着部が形設されるプレート部が平板状なので、小型、軽量で嵩張らずに容易に持ち運ぶことができ、設置スペースや収納スペースを取らず、使用場所の制限を受け難く、手軽に使用することができ、量産性、携帯性、設置自在性、収納性に優れる。
（３）プレート部の表面、背面、外周面の少なくともいずれか一箇所以上に複数の保持部材装着部を形設することができるので、平面上でありながら、様々な位置に理美容技術練習具を装着することができ、汎用性、機能性、実用性に優れる。
（４）平板状のプレート部の表面、背面、外周面の少なくともいずれか一箇所以上に複数の保持部材装着部が形設されることにより、二次元に近い簡素化された構造となるため、初心者でもイメージするヘアスタイルと、分けとった毛束を引き出す角度やカット位置との関係が理解し易く、自分自身で姿勢やスタンス等の基本技術の習得度を極めて容易に判断することができ、短時間で基本技術を習得することが可能で、取扱い性、機能性に優れる。
（５）理美容技術練習具の帯状部材を保持する保持部材が保持部材装着部に着脱自在に装着されることにより、理美容技術練習具を所望の角度に保持することができるので、指の間に帯状部材を挟んで引き出すときに捻れや角度ずれがあると、帯状部材に弛みが生じ、捻れや角度ずれの有無を自分で判断することができ、さらに帯状部材の捻れや角度ずれが生じないような正しい姿勢やスタンス、手や鋏の位置等を確実に習得することができ、使用性、実用性、省力性に優れる。
（６）保持部材装着部が凸球面状又は凹球面状に形成された嵌合部を有し、理美容技術練習具の保持部材が保持部材装着部の嵌合部に回動自在に保持されることにより、所望のヘアスタイルに応じて、理美容技術練習具を様々な角度に取付けることができるので、イメージするヘアスタイルと、分けとった毛束を引き出す角度やカット位置との関係を容易に理解することができ、汎用性、機能性に優れる。
（７）保持部材装着部の嵌合部に保持部材が嵌着された状態で理美容技術練習具を所定の角度に保持することができるので、指の間に帯状部材を挟んで引き出すときに捻れや角度ずれがあると、帯状部材に弛みが生じ、捻れや角度ずれの有無を自分で判断することができるが、保持部材装着部の嵌合部が凸球面状又は凹球面状に形成されていることにより、理美容技術練習具の保持部材を指で摘んで回動させれば、保持部材装着部の嵌合部を中心にして理美容技術練習具の取付角度を自在に変化させて、様々なヘアスタイルに対応することができ、理美容技術練習具の取付角度を変えるために理美容技術練習具を取外して装着し直す必要がなく、取付角度の微調整も容易で、使用性、実用性、角度調整の自在性に優れる。
（８）複数の保持部材装着部の少なくとも一部が同一円周上に配置されることにより、人間の頭部の形状に沿うように複数の理美容技術練習具を放射状に装着して、人間の毛髪を簡易的に再現することができ、カット、パーマ、ブローなどの様々な理美容技術の基本技術を効果的に習得することができ、使用性に優れる。
（９）プレート部の表面又は背面にプレート部の中心と各々の保持部材装着部の中心との間を結ぶ角度目盛りが標示されることにより、保持部材装着部に装着される理美容技術練習具の取付角度や複数の理美容技術練習具の位置関係を理解し易く、取扱い性に優れる。
（１０）プレート部が立設されるプレート固定部を有することにより、プレート固定部をテーブルの上やスタンドの先端などに固定して、簡単に使用することができ、設置スペースを取らず、省スペース性、取扱い性に優れる。
【産業上の利用可能性】
【００２３】
本考案は、小型、軽量で平面体に近いため、嵩張らずに容易に持ち運ぶことができ、設置スペースや収納スペースを取らず、使用場所の制限を受け難く、手軽に使用することができ、量産性、携帯性、設置自在性、収納性に優れるだけでなく、二次元に近い簡素化された構造であるため、初心者でもイメージするヘアスタイルと、分けとった毛束を引き出す角度やカット位置との関係が理解し易く、自分自身で姿勢やスタンス等の基本技術の習得度を極めて容易に判断することができ、短時間で基本技術を習得することが可能な取扱い性、機能性に優れた理美容技術練習プレートの提供を行うことができ、理美容技術練習具の普及と美容師や理容師の技術の向上を図ることができる。
【符号の説明】
【００２４】
１，１Ａ  理美容技術練習プレート
２  プレート部
２ａ  表面
２ｂ  背面
２ｃ  外周面
３，３Ａ  保持部材装着部
３ａ  基部
３ｂ  軸部
３ｃ  嵌合部
４  角度目盛り
４ａ  補助角度目盛り
５  プレート固定部
５ａ  固定凹部
１０，１０Ａ  理美容技術練習具
１１，１１Ａ  保持部材
１２，１２ａ  装着部
１３  帯状部材
１５  スタンド
【図１】
0003183262.tif 000003
【図２】
0003183262.tif 000004
【図３】
0003183262.tif 000005
【図４】
0003183262.tif 000006